(57)【要約】【課題】無駄な電力を消費することなく、エネルギーの有効活用を行いながらパッケージ内の燃料電池本体、燃料改質系機器および冷却水系機器の凍結を防止する。【解決手段】燃料ガスを水蒸気改質する燃料改質系機器と、水蒸気改質された燃料ガスと空気との電気化学反応に基づいて電気および熱エネルギーを発生する燃料電池本体と、燃料電池本体を冷却する冷却水系機器とを具備する燃料電池発電装置において、燃料電池本体の直流出力を交流に変換する逆変換器９を設け、逆変換器９が発した熱を、燃料改質系機器、燃料電池本体および冷却水系機器の少なくとも１つに例えば温風として供給する。具体的には、パッケージ１内と逆変換器盤６内とを連通する導風管１３，１６を設ける。【選択図】図１
2006252964.tif 000002
【特許請求の範囲】
【請求項１】
炭化水素系原燃料を水蒸気改質して得られた燃料ガスと酸化剤ガスとしての空気との電気化学反応に基づいて電気および熱エネルギーを発生する燃料電池本体と、燃料改質系機器と、前記燃料電池本体を冷却するための冷却水系機器と、前記燃料電池本体、前記燃料改質系機器および前記冷却水系機器を収納したパッケージ内の熱を外部に排気するための第１換気ファンと、前記パッケージ内の温度を検出する第１検出手段と、前記燃料電池本体の直流出力を交流に変換するための逆変換器と、前記逆変換器を収納した逆変換器盤内で発せられた熱を外部に排気するための第２換気ファンと、前記逆変換器盤内の温度を検出する第２検出手段とを具備する燃料電池発電装置において、
前記燃料電池発電装置が運転している状態で、前記逆変換器盤内で発せられた熱を温風として前記パッケージ内に導入することを特徴とする燃料電池発電装置。
【請求項２】
前記逆変換器盤内と前記冷却水系機器とを連通する導風管を具備することを特徴とする請求項１に記載の燃料電池発電装置。
【請求項３】
前記逆変換器盤内と前記パッケージの吸気口とを連通する導風管を具備することを特徴とする請求項１に記載の燃料電池発電装置。
【請求項４】
前記逆変換器盤内と前記パッケージ内とを連通する導風管を前記パッケージの壁の内部に配置したことを特徴とする請求項１に記載の燃料電池発電装置。
【請求項５】
前記逆変換器盤内で発せられた熱を温風として前記パッケージ内に導入する必要がある時には、前記第２換気ファンの換気量を減少させることを特徴とする請求項１〜４のいずれか一項に記載の燃料電池発電装置。
【請求項６】
燃料ガスを水蒸気改質する燃料改質系機器と、水蒸気改質された燃料ガスと空気との電気化学反応に基づいて電気および熱エネルギーを発生する燃料電池本体と、前記燃料電池本体を冷却する冷却水系機器とを具備する燃料電池発電装置において、前記燃料電池本体の直流出力を交流に変換する逆変換器を設け、前記逆変換器が発した熱を、前記燃料改質系機器、前記燃料電池本体および前記冷却水系機器の少なくとも１つに供給することを特徴とする燃料電池発電装置。
【発明の詳細な説明】
【技術分野】
【０００１】
本発明は、例えば炭化水素系原燃料を水蒸気改質して得られた燃料ガスと酸化剤ガスとしての空気との電気化学反応に基づいて電気および熱エネルギーを発生する燃料電池本体と、燃料改質系機器と、燃料電池本体を冷却するための冷却水系機器と、燃料電池本体、燃料改質系機器および冷却水系機器を収納したパッケージ内の熱を外部に排気するための第１換気ファンと、パッケージ内の温度を検出する第１検出手段と、燃料電池本体の直流出力を交流に変換するための逆変換器と、逆変換器を収納した逆変換器盤内で発せられた熱を外部に排気するための第２換気ファンと、逆変換器盤内の温度を検出する第２検出手段とを具備する燃料電池発電装置に関し、特には、燃料電池本体、燃料改質系機器および冷却水系機器の凍結を防止することができる燃料電池発電装置に関する。
【背景技術】
【０００２】
従来から、燃料ガスを水蒸気改質する燃料改質系機器と、水蒸気改質された燃料ガスと空気との電気化学反応に基づいて電気および熱エネルギーを発生する燃料電池本体と、燃料電池本体を冷却する冷却水系機器とを具備する燃料電池発電装置が知られている。この種の燃料電池発電装置の例としては、例えば特開平１１−２１４０２５公報、特開２００３−２８２１０５号公報、特開２００１−３５１６５２号公報、特開２００３−３６８７４号公報などに記載されたものがある。
【０００３】
特開平１１−２１４０２５公報に記載された燃料電池発電装置では、燃料電池発電装置の外部の温度を検出する温度センサが設けられ、燃料電池発電装置の外部の温度が所定の閾値より低くなった時に燃料電池本体の発熱量が増加せしめられ、それにより、燃料電池本体を循環する水の凍結が防止されている。
【０００４】
ところが、特開平１１−２１４０２５公報に記載された燃料電池発電装置では、燃料電池本体の直流出力を交流に変換するための逆変換器（ＤＣ／ＡＣインバータ）が設けられ、燃料電池発電装置の運転中には逆変換器から熱が発せられるにもかかわらず、その熱が有効活用されていなかった。
【０００５】
また、特開２００３−２８２１０５号公報に記載された燃料電池発電装置では、燃料電池本体が発生する熱エネルギーの一部を温水として貯える貯湯槽が設けられ、貯湯槽内の温水が冷却水系機器、回収水系機器、水処理装置の少なくとも一部に供給され、それにより、それらの循環経路内の水の凍結が防止されている。
【０００６】
ところが、特開２００３−２８２１０５号公報には、燃料電池本体の直流出力を交流に変換するための逆変換器について記載されておらず、特開２００３−２８２１０５号公報に記載された燃料電池発電装置では、上述した水の凍結を防止するために、逆変換器から発せられる熱が有効活用されていなかった。
【０００７】
更に、特開２００１−３５１６５２号公報に記載された燃料電池発電装置では、燃料電池のセルスタック体を収容するケーシング内にヒータが設けられ、ヒータを発熱させることにより、燃料電池のセルスタック体の凍結が防止されている。
【０００８】
ところが、特開２００１−３５１６５２号公報に記載された燃料電池発電装置では、燃料電池のセルスタック体に電力調整部（ＤＣ／ＤＣ変換器）が接続され、燃料電池発電装置の運転中には電力調整部から熱が発せられるにもかかわらず、その熱が有効活用されていなかった。
【０００９】
また、特開２００３−３６８７４号公報に記載された燃料電池発電装置では、燃料電池本体の内部温度を検出する温度センサが設けられ、燃料電池本体の内部温度が０℃以下の時に冷却水ポンプを停止させることにより、燃料電池本体の内部の生成水の凍結が防止されている。
【００１０】
ところが、特開２００３−３６８７４号公報には、燃料電池本体の直流出力を交流に変換するための逆変換器について記載されておらず、特開２００３−３６８７４号公報に記載された燃料電池発電装置では、燃料電池本体の内部の生成水の凍結を防止するために、逆変換器から発せられる熱が有効活用されていなかった。
【００１１】
図５は他の従来の燃料電池発電装置のパッケージ換気経路および逆変換器盤換気経路を示した図である。図５において、１は燃料電池本体（図示せず）、燃料改質系機器（図示せず）、冷却水系機器（図示せず）などを収納したパッケージを示しており、２はパッケージ１の吸気口を示しており、４はパッケージ１の排気口を示しており、３はパッケージ１内の熱を外部に排気するための換気ファンを示している。５はパッケージ１内の機器の凍結を防止するために熱を発散させる発熱器を示しており、９は燃料電池本体（図示せず）の直流出力を交流に変換するための逆変換器を示しており、６は逆変換器９を収納した逆変換器盤を示している。７は逆変換器盤６内で発せられた熱を外部に排気するための換気ファンを示しており、８は逆変換器盤６の排気口を示しており、１０はパッケージ１内の温度を検出する温度検出器を示しており、１１は逆変換器盤６の排気温度を検出する温度検出器を示しており、１２は換気ファン３，７を制御するための制御装置を示している。
【００１２】
図５に示すような従来の燃料電池発電装置では、外気温に応じて制御装置１２によって換気ファン３の駆動量が制御され、発熱器５から熱を発散させてパッケージ１内の機器の凍結防止が図られていた。一方で、逆変換器９が発した熱は、換気ファン７によって逆変換器盤６の外に排出されていた。
【００１３】
つまり、図５に示すような従来の燃料電池発電装置においては、パッケージ１内の特定の機器もしくは発熱器５の周囲のみで凍結の防止が図られており、パッケージ１全体に凍結防止用の熱が供給されていなかった。また、逆変換器９が発した熱は、換気ファン７によって逆変換器盤６の外に排出され、有効的に利用されていなかった。
【００１４】
【特許文献１】特開平１１−２１４０２５公報
【特許文献２】特開２００３−２８２１０５号公報
【特許文献３】特開２００１−３５１６５２号公報
【特許文献４】特開２００３−３６８７４号公報
【発明の開示】
【発明が解決しようとする課題】
【００１５】
前記問題点に鑑み、本発明は、無駄な電力を消費することなく、逆変換器が発した熱を利用することによりエネルギーを有効活用して、パッケージ内の燃料電池本体、燃料改質系機器および冷却水系機器の凍結を防止することができる燃料電池発電装置を提供することを目的とする。
【課題を解決するための手段】
【００１６】
請求項１に記載の発明によれば、炭化水素系原燃料を水蒸気改質して得られた燃料ガスと酸化剤ガスとしての空気との電気化学反応に基づいて電気および熱エネルギーを発生する燃料電池本体と、燃料改質系機器と、前記燃料電池本体を冷却するための冷却水系機器と、前記燃料電池本体、前記燃料改質系機器および前記冷却水系機器を収納したパッケージ内の熱を外部に排気するための第１換気ファンと、前記パッケージ内の温度を検出する第１検出手段と、前記燃料電池本体の直流出力を交流に変換するための逆変換器と、前記逆変換器を収納した逆変換器盤内で発せられた熱を外部に排気するための第２換気ファンと、前記逆変換器盤内の温度を検出する第２検出手段とを具備する燃料電池発電装置において、前記燃料電池発電装置が運転している状態で、前記逆変換器盤内で発せられた熱を温風として前記パッケージ内に導入することを特徴とする燃料電池発電装置が提供される。
【００１７】
請求項２に記載の発明によれば、前記逆変換器盤内と前記冷却水系機器とを連通する導風管を具備することを特徴とする請求項１に記載の燃料電池発電装置が提供される。
【００１８】
請求項３に記載の発明によれば、前記逆変換器盤内と前記パッケージの吸気口とを連通する導風管を具備することを特徴とする請求項１に記載の燃料電池発電装置が提供される。
【００１９】
請求項４に記載の発明によれば、前記逆変換器盤内と前記パッケージ内とを連通する導風管を前記パッケージの壁の内部に配置したことを特徴とする請求項１に記載の燃料電池発電装置が提供される。
【００２０】
請求項５に記載の発明によれば、前記逆変換器盤内で発せられた熱を温風として前記パッケージ内に導入する必要がある時には、前記第２換気ファンの換気量を減少させることを特徴とする請求項１〜４のいずれか一項に記載の燃料電池発電装置が提供される。
【００２１】
請求項６に記載の発明によれば、燃料ガスを水蒸気改質する燃料改質系機器と、水蒸気改質された燃料ガスと空気との電気化学反応に基づいて電気および熱エネルギーを発生する燃料電池本体と、前記燃料電池本体を冷却する冷却水系機器とを具備する燃料電池発電装置において、前記燃料電池本体の直流出力を交流に変換する逆変換器を設け、前記逆変換器が発した熱を、前記燃料改質系機器、前記燃料電池本体および前記冷却水系機器の少なくとも１つに供給することを特徴とする燃料電池発電装置が提供される。
【発明の効果】
【００２２】
請求項１に記載の燃料電池発電装置では、燃料電池発電装置の運転中に、燃料電池本体の直流出力を交流に変換するための逆変換器が収納された逆変換器盤内で発せられた熱が、燃料電池本体、燃料改質系機器および冷却水系機器が収納されたパッケージ内に温風として導入される。そのため、パッケージ内の燃料電池本体、燃料改質系機器および冷却水系機器が凍結してしまうのを防止することができる。
【００２３】
換言すれば、請求項１に記載の燃料電池発電装置では、従来の燃料電池発電装置において凍結防止用の熱源としてパッケージ内に設けられていた熱機器が削除され、その一方で、従来の燃料電池発電装置においては活用されることなく破棄されていた逆変換器盤内の熱が凍結防止用の熱源として活用される。そのため、無駄な電力を消費することなく、エネルギーの有効活用を行いながらパッケージ内の燃料電池本体、燃料改質系機器および冷却水系機器の凍結を防止することができる。それゆえ、燃料電池発電装置の外部が凍結温度以下の温度になった場合であっても、燃料電池本体、燃料改質系機器および冷却水系機器の凍結に伴うそれらの破損を防止することができる。
【００２４】
請求項２に記載の燃料電池発電装置では、逆変換器盤内と冷却水系機器とを連通する導風管が設けられている。詳細には、逆変換器盤内で発せられた熱が、温風として、導風管を介して冷却水系機器に集中的に供給される。そのため、冷却水系機器の凍結を確実に防止することができる。
【００２５】
請求項３に記載の燃料電池発電装置では、逆変換器盤内とパッケージの吸気口とを連通する導風管が設けられている。詳細には、逆変換器盤内で発せられた熱が、温風として、導風管を介してパッケージの吸気口に集中的に供給され、その温風が、第１換気ファンによって引張られ、パッケージ内に供給される。そのため、パッケージ内に供給される空気を凍結温度より高い温度に保つことができ、それにより、パッケージ内に収納された燃料電池本体、燃料改質系機器および冷却水系機器の凍結を確実に防止することができる。
【００２６】
請求項４に記載の燃料電池発電装置では、逆変換器盤内とパッケージ内とを連通する導風管が設けられ、その導風管がパッケージの壁の内部に配置されている。そのため、詳細には、逆変換器盤内で発せられた熱が、温風としてパッケージの壁の内部を通され、パッケージの壁が暖められる。そのため、パッケージ内を凍結温度より高い温度に保つことができ、それにより、パッケージ内に収納された燃料電池本体、燃料改質系機器および冷却水系機器の凍結を確実に防止することができる。
【００２７】
請求項５に記載の燃料電池発電装置では、逆変換器盤内で発せられた熱を温風としてパッケージ内に導入する必要がある時には、逆変換器盤内で発せられた熱を外部に排気する第２換気ファンの換気量が減少せしめられる。詳細には、逆変換器盤内で発せられた熱を温風としてパッケージ内に導入する必要がある時には、逆変換器の運転に支障がない範囲内で逆変換器盤内の温度が高くなるように、第２換気ファンの換気量が減少せしめられる。そのため、可能な限り高温の温風を逆変換器盤内からパッケージ内に導入することができ、それにより、パッケージ内に収納された燃料電池本体、燃料改質系機器および冷却水系機器の凍結を確実に防止することができる。
【００２８】
請求項６に記載の燃料電池発電装置では、燃料電池本体の直流出力を交流に変換するための逆変換器が発した熱が、燃料改質系機器、燃料電池本体および冷却水系機器の少なくとも１つに供給される。そのため、逆変換器が発した熱が燃料改質系機器に供給される場合には、燃料改質系機器中の水分が凍結してしまうのを防止することができる。また、逆変換器が発した熱が燃料電池本体に供給される場合には、燃料電池本体中の水分が凍結してしまうのを防止することができる。更に、逆変換器が発した熱が冷却水系機器に供給される場合には、冷却水系機器の冷却水が凍結してしまうのを防止することができる。
【００２９】
また、請求項６に記載の燃料電池発電装置では、例えば逆変換器が発した熱が温風として燃料改質系機器、燃料電池本体および冷却水系機器の少なくとも１つに供給される。あるいは、例えば逆変換器が発した熱が温水として燃料改質系機器、燃料電池本体および冷却水系機器の少なくとも１つに供給される。
【発明を実施するための最良の形態】
【００３０】
以下、本発明の燃料電池発電装置の第１の実施形態について説明する。図１は第１の実施形態の燃料電池発電装置のパッケージ換気経路および逆変換器盤換気経路を示した図である。図１において、図５に示した参照番号と同一の参照番号は、図５に示した部品または部分と同一の部品または部分を示している。１３は逆変換器盤６内とパッケージ１内とを連通する導風管を示しており、１４はパッケージ１の吸気温度を検出する温度検出器を示しており、１５は例えば導風管１３の入口に配置された開閉弁を示している。制御装置１２は、温度検出器１１，１４からの出力信号に基づいて換気ファン３，７および開閉弁１５を制御する。
【００３１】
図５に示した従来の燃料電池発電装置では、パッケージ１内の燃料電池本体、燃料改質系機器および冷却水系機器の凍結を防止するために、発熱器５が発した熱が用いられていたのに対し、第１の実施形態の燃料電池発電装置では、図１に示すように、パッケージ１内の燃料電池本体（図示せず）、燃料改質系機器（図示せず）および冷却水系機器（図示せず）の凍結を防止するために、逆変換器９が発した熱が用いられる。
【００３２】
具体的には、第１の実施形態の燃料電池発電装置では、図１に示すように、温度検出器１４によって測定された温度が凍結温度近傍に至った場合に、開閉弁１５が開弁せしめられ、それにより、逆変換器盤６内で発せられた熱が導風管１３を介して温風としてパッケージ１内に導入される。そのため、図５に示した従来の燃料電池発電装置のように発熱器５において電力を消費する必要なく、エネルギーの有効活用を行いながらパッケージ１内の燃料電池本体（図示せず）、燃料改質系機器（図示せず）および冷却水系機器（図示せず）の凍結を防止することができる。
【００３３】
換言すれば、第１の実施形態の燃料電池発電装置では、図１に示すように、逆変換器９が発した熱が、燃料改質系機器（図示せず）、燃料電池本体（図示せず）および冷却水系機器（図示せず）に供給される。そのため、逆変換器９が発した熱が有効活用されていなかった図５に示した従来の燃料電池発電装置とは異なり、エネルギーの有効活用を行いながらパッケージ１内の燃料電池本体（図示せず）、燃料改質系機器（図示せず）および冷却水系機器（図示せず）の凍結を防止することができる。
【００３４】
第１の実施形態の燃料電池発電装置では、開閉弁１５が例えばモータ（図示せず）によって開閉せしめられるが、第２の実施形態の燃料電池発電装置では、代わりに、開閉弁１５を例えばソレノイド、エアシリンダ、油圧シリンダ等によって開閉させることも可能であり、あるいは、燃料電池発電装置の使用者が手動で開閉弁１５を開閉させることも可能である。
【００３５】
また、第１の実施形態の燃料電池発電装置では、温度検出器１４によって測定された温度が凍結温度近傍に至った場合に、逆変換器盤６内で発せられた熱を外部に排気する換気ファン７の回転数が変更せしめられないが、第３の実施形態の燃料電池発電装置では、温度検出器１４によって測定された温度が凍結温度近傍に至った場合に、逆変換器盤６内で発せられた熱を外部に排気する換気ファン７の回転数が減少せしめられ、換気ファン７の換気量が減少せしめられる。詳細には、逆変換器９の運転に支障がない範囲内で逆変換器盤６内の温度が高くなるように、換気ファン７の換気量が減少せしめられる。その結果、可能な限り高温の温風が逆変換器盤６内からパッケージ１内に導入されることになる。そのため、パッケージ１内に収納された燃料電池本体（図示せず）、燃料改質系機器（図示せず）および冷却水系機器（図示せず）の凍結を確実に防止することができる。
【００３６】
以下、本発明の燃料電池発電装置の第４の実施形態について説明する。図２は第４の実施形態の燃料電池発電装置のパッケージ換気経路および逆変換器盤換気経路を示した図である。図２において、図１および図５に示した参照番号と同一の参照番号は、図１および図５に示した部品または部分と同一の部品または部分を示している。１７は冷却水系機器を示しており、１６は逆変換器盤６内と冷却水系機器１７とを連通する導風管を示している。制御装置１２は、温度検出器１１，１４からの出力信号に基づいて換気ファン３，７および開閉弁１５を制御する。
【００３７】
図５に示した従来の燃料電池発電装置では、パッケージ１内の燃料電池本体、燃料改質系機器および冷却水系機器の凍結を防止するために、発熱器５が発した熱が用いられていたのに対し、第４の実施形態の燃料電池発電装置では、図２に示すように、パッケージ１内の燃料電池本体（図示せず）、燃料改質系機器（図示せず）および冷却水系機器１７の凍結を防止するために、逆変換器９が発した熱が用いられる。
【００３８】
具体的には、第４の実施形態の燃料電池発電装置では、図２に示すように、温度検出器１４によって測定された温度が凍結温度近傍に至った場合に、開閉弁１５が開弁せしめられ、それにより、逆変換器盤６内で発せられた熱が導風管１６を介して温風としてパッケージ１内に導入される。そのため、図５に示した従来の燃料電池発電装置のように発熱器５において電力を消費する必要なく、エネルギーの有効活用を行いながらパッケージ１内の燃料電池本体（図示せず）、燃料改質系機器（図示せず）および冷却水系機器１７の凍結を防止することができる。
【００３９】
換言すれば、第４の実施形態の燃料電池発電装置では、図２に示すように、逆変換器９が発した熱が、燃料改質系機器（図示せず）、燃料電池本体（図示せず）および冷却水系機器１７に供給される。そのため、逆変換器９が発した熱が有効活用されていなかった図５に示した従来の燃料電池発電装置とは異なり、エネルギーの有効活用を行いながらパッケージ１内の燃料電池本体（図示せず）、燃料改質系機器（図示せず）および冷却水系機器１７の凍結を防止することができる。
【００４０】
詳細には、第４の実施形態の燃料電池発電装置では、図２に示すように、逆変換器盤６内で発せられた熱が、温風として、導風管１６を介して冷却水系機器１７に集中的に供給される。そのため、冷却水系機器１７の凍結を確実に防止することができる。
【００４１】
第４の実施形態の燃料電池発電装置では、温度検出器１４によって測定された温度が凍結温度近傍に至った場合に、逆変換器盤６内で発せられた熱を外部に排気する換気ファン７の回転数が変更せしめられないが、第５の実施形態の燃料電池発電装置では、温度検出器１４によって測定された温度が凍結温度近傍に至った場合に、逆変換器盤６内で発せられた熱を外部に排気する換気ファン７の回転数が減少せしめられ、換気ファン７の換気量が減少せしめられる。詳細には、逆変換器９の運転に支障がない範囲内で逆変換器盤６内の温度が高くなるように、換気ファン７の換気量が減少せしめられる。その結果、可能な限り高温の温風が逆変換器盤６内からパッケージ１内に導入されることになる。そのため、パッケージ１内に収納された燃料電池本体（図示せず）、燃料改質系機器（図示せず）および冷却水系機器１７の凍結を確実に防止することができる。
【００４２】
以下、本発明の燃料電池発電装置の第６の実施形態について説明する。図３は第６の実施形態の燃料電池発電装置のパッケージ換気経路および逆変換器盤換気経路を示した図である。図３において、図１、図２および図５に示した参照番号と同一の参照番号は、図１、図２および図５に示した部品または部分と同一の部品または部分を示している。第６の実施形態の燃料電池発電装置では、導風管１３が逆変換器盤６内とパッケージ１の吸気口２とを連通している。
【００４３】
図５に示した従来の燃料電池発電装置では、パッケージ１内の燃料電池本体、燃料改質系機器および冷却水系機器の凍結を防止するために、発熱器５が発した熱が用いられていたのに対し、第６の実施形態の燃料電池発電装置では、図３に示すように、パッケージ１内の燃料電池本体（図示せず）、燃料改質系機器（図示せず）および冷却水系機器（図示せず）の凍結を防止するために、逆変換器９が発した熱が用いられる。
【００４４】
具体的には、第６の実施形態の燃料電池発電装置では、図３に示すように、温度検出器１４によって測定された温度が凍結温度近傍に至った場合に、開閉弁１５が開弁せしめられ、それにより、逆変換器盤６内で発せられた熱が導風管１３およびパッケージ１の吸気口２を介して温風としてパッケージ１内に導入される。そのため、図５に示した従来の燃料電池発電装置のように発熱器５において電力を消費する必要なく、エネルギーの有効活用を行いながらパッケージ１内の燃料電池本体（図示せず）、燃料改質系機器（図示せず）および冷却水系機器（図示せず）の凍結を防止することができる。
【００４５】
換言すれば、第６の実施形態の燃料電池発電装置では、図３に示すように、逆変換器９が発した熱が、燃料改質系機器（図示せず）、燃料電池本体（図示せず）および冷却水系機器（図示せず）に供給される。そのため、逆変換器９が発した熱が有効活用されていなかった図５に示した従来の燃料電池発電装置とは異なり、エネルギーの有効活用を行いながらパッケージ１内の燃料電池本体（図示せず）、燃料改質系機器（図示せず）および冷却水系機器（図示せず）の凍結を防止することができる。
【００４６】
詳細には、第６の実施形態の燃料電池発電装置では、図３に示すように、逆変換器盤６内で発せられた熱が、温風として、導風管１３を介してパッケージ１の吸気口２に集中的に供給され、その温風が、換気ファン３によって引張られ、パッケージ１内に供給される。そのため、パッケージ１内に供給される空気を凍結温度より高い温度に保つことができ、それにより、パッケージ１内に収納された燃料電池本体（図示せず）、燃料改質系機器（図示せず）および冷却水系機器（図示せず）の凍結を確実に防止することができる。
【００４７】
また、第６の実施形態の燃料電池発電装置では、温度検出器１４によって測定された温度が凍結温度近傍に至った場合に、逆変換器盤６内で発せられた熱を外部に排気する換気ファン７の回転数が変更せしめられないが、第７の実施形態の燃料電池発電装置では、温度検出器１４によって測定された温度が凍結温度近傍に至った場合に、逆変換器盤６内で発せられた熱を外部に排気する換気ファン７の回転数が減少せしめられ、換気ファン７の換気量が減少せしめられる。詳細には、逆変換器９の運転に支障がない範囲内で逆変換器盤６内の温度が高くなるように、換気ファン７の換気量が減少せしめられる。その結果、可能な限り高温の温風が逆変換器盤６内からパッケージ１内に導入されることになる。そのため、パッケージ１内に収納された燃料電池本体（図示せず）、燃料改質系機器（図示せず）および冷却水系機器（図示せず）の凍結を確実に防止することができる。
【００４８】
以下、本発明の燃料電池発電装置の第８の実施形態について説明する。図４は第８の実施形態の燃料電池発電装置のパッケージ換気経路および逆変換器盤換気経路を示した図である。図４において、図１〜図３および図５に示した参照番号と同一の参照番号は、図１〜図３および図５に示した部品または部分と同一の部品または部分を示している。第８の実施形態の燃料電池発電装置では、逆変換器盤６内とパッケージ１内とを連通する導風管１３が、パッケージ１の壁の内部に配置されている。
【００４９】
図５に示した従来の燃料電池発電装置では、パッケージ１内の燃料電池本体、燃料改質系機器および冷却水系機器の凍結を防止するために、発熱器５が発した熱が用いられていたのに対し、第８の実施形態の燃料電池発電装置では、図４に示すように、パッケージ１内の燃料電池本体（図示せず）、燃料改質系機器（図示せず）および冷却水系機器（図示せず）の凍結を防止するために、逆変換器９が発した熱が用いられる。
【００５０】
具体的には、第８の実施形態の燃料電池発電装置では、図４に示すように、温度検出器１４によって測定された温度が凍結温度近傍に至った場合に、開閉弁１５が開弁せしめられ、それにより、逆変換器盤６内で発せられた熱が導風管１３を介して温風としてパッケージ１内に導入される。そのため、図５に示した従来の燃料電池発電装置のように発熱器５において電力を消費する必要なく、エネルギーの有効活用を行いながらパッケージ１内の燃料電池本体（図示せず）、燃料改質系機器（図示せず）および冷却水系機器（図示せず）の凍結を防止することができる。
【００５１】
換言すれば、第８の実施形態の燃料電池発電装置では、図４に示すように、逆変換器９が発した熱が、燃料改質系機器（図示せず）、燃料電池本体（図示せず）および冷却水系機器（図示せず）に供給される。そのため、逆変換器９が発した熱が有効活用されていなかった図５に示した従来の燃料電池発電装置とは異なり、エネルギーの有効活用を行いながらパッケージ１内の燃料電池本体（図示せず）、燃料改質系機器（図示せず）および冷却水系機器（図示せず）の凍結を防止することができる。
【００５２】
詳細には、第８の実施形態の燃料電池発電装置では、図４に示すように、逆変換器盤６内で発せられた熱が、温風としてパッケージ１の壁の内部を通され、パッケージ１の壁が暖められる。そのため、パッケージ１内を凍結温度より高い温度に保つことができ、それにより、パッケージ１内に収納された燃料電池本体（図示せず）、燃料改質系機器（図示せず）および冷却水系機器（図示せず）の凍結を確実に防止することができる。
【００５３】
また、第８の実施形態の燃料電池発電装置では、温度検出器１４によって測定された温度が凍結温度近傍に至った場合に、逆変換器盤６内で発せられた熱を外部に排気する換気ファン７の回転数が変更せしめられないが、第９の実施形態の燃料電池発電装置では、温度検出器１４によって測定された温度が凍結温度近傍に至った場合に、逆変換器盤６内で発せられた熱を外部に排気する換気ファン７の回転数が減少せしめられ、換気ファン７の換気量が減少せしめられる。詳細には、逆変換器９の運転に支障がない範囲内で逆変換器盤６内の温度が高くなるように、換気ファン７の換気量が減少せしめられる。その結果、可能な限り高温の温風が逆変換器盤６内からパッケージ１内に導入されることになる。そのため、パッケージ１内に収納された燃料電池本体（図示せず）、燃料改質系機器（図示せず）および冷却水系機器（図示せず）の凍結を確実に防止することができる。
【００５４】
また、上述したように第１から第９の実施形態の燃料電池発電装置では、逆変換器９が発した熱が温風として燃料電池本体、燃料改質系機器および冷却水系機器に供給されているが、第１０の実施形態の燃料電池発電装置では、代わりに、温水用配管を設け、逆変換器９が発した熱を、温水として燃料電池本体、燃料改質系機器および冷却水系機器の少なくとも１つに供給することも可能である。
【００５５】
第１１の実施形態では、上述した第１から第１０の実施形態を適宜組合わせることも可能である。
【図面の簡単な説明】
【００５６】
【図１】第１の実施形態の燃料電池発電装置のパッケージ換気経路および逆変換器盤換気経路を示した図である。
【図２】第４の実施形態の燃料電池発電装置のパッケージ換気経路および逆変換器盤換気経路を示した図である。
【図３】第６の実施形態の燃料電池発電装置のパッケージ換気経路および逆変換器盤換気経路を示した図である。
【図４】第８の実施形態の燃料電池発電装置のパッケージ換気経路および逆変換器盤換気経路を示した図である。
【図５】従来の燃料電池発電装置のパッケージ換気経路および逆変換器盤換気経路を示した図である。
【符号の説明】
【００５７】
１：パッケージ、２：パッケージの吸気口、３：換気ファン、４：パッケージの排気口、５：発熱器、６：逆変換器盤、７：換気ファン、８：逆変換器盤の排気口、９：逆変換器、１０：温度検出器、１１：温度検出器、１２：制御装置、１３：導風管、１４：温度検出器、１５：開閉弁、１６：導風管
【図１】
2006252964.tif 000003
【図２】
2006252964.tif 000004
【図３】
2006252964.tif 000005
【図４】
2006252964.tif 000006
【図５】
2006252964.tif 000007